(57)【要約】【課題】  良好にエプロンを支持することができ、しかもエプロンの着脱が容易となるエプロン支持具を提供する。【解決手段】  エプロン７の下端７ａと防水パン１との間に挟み込まれてエプロン７を持ち上げ支持することのできるエプロン支持具１０であって、このエプロン支持具１０は、エプロン７の下端７ａを上方へ押圧し得る弾性を有する弾性山部１０ｂと、弾性山部１０ｂの一側に立ち上げられて、垂下状をなすエプロンの下端７ａの洗い場２側に当接し得る立上ヒレ部１０ｃを備えており、エプロン支持具１０の底側には、防水パン１との間に水抜き孔Ｒを形成し得る複数の羽根部１０ｄが備えられている。【選択図】        図１１
2006006844.tif 000002
【特許請求の範囲】
【請求項１】
エプロン下端と防水パンとの間に挟み込まれてエプロンを持ち上げ支持することのできるエプロン支持具であって、該エプロン支持具は、エプロン下端を上方へ押圧し得る弾性を有する山部と、該山部の一側に立ち上げられて前記エプロン下端の洗い場側に当接し得る立上ヒレ部を備えていることを特徴とするエプロン支持具。
【請求項２】
前記エプロン支持具の底側には、前記防水パンとの間に水抜き孔を形成し得る複数の羽根部が備えられていることを特徴とする請求項１に記載のエプロン支持具。
【発明の詳細な説明】
【技術分野】
【０００１】
本発明は、浴槽のエプロン下端と防水パンとの間に挟み込まれてエプロンを持ち上げ支持することのできるエプロン支持具に関するものである。
【背景技術】
【０００２】
従来、特許文献１に開示されているように、浴槽のエプロンの下端を、防水パンの堤防部の上面との間に止水材を嵌め込んで、堤防部上に設置する構造が存在する。
【特許文献１】特開平１１−３１３７７３号公報
【発明の開示】
【発明が解決しようとする課題】
【０００３】
従来の構造では、止水材が挟み込まれているため、止水材の着脱がし辛く、また、エプロンの着脱もし辛いという問題点があり、また、エプロンの下端がＬ型形状の場合、そこに水滴が溜まりやすく、カビや汚れの原因となるという問題点があった。
【課題を解決するための手段】
【０００４】
本発明は上記従来の問題点に鑑み案出したものであって、エプロンの着脱が容易となり、また、エプロン下端裏側にカビや汚れが生じにくくなるエプロン支持具を提供せんことを目的とし、その請求項１は、エプロン下端と防水パンとの間に挟み込まれてエプロンを持ち上げ支持することのできるエプロン支持具であって、該エプロン支持具は、エプロン下端を上方へ押圧し得る弾性を有する山部と、山部の一側に立ち上げられて前記エプロン下端の洗い場側に当接し得る立上ヒレ部を備えていることである。
また、請求項２は、前記エプロン支持具の底側には、前記防水パンとの間に水抜き孔を形成し得る複数の羽根部が備えられていることである。
【発明の効果】
【０００５】
本発明のエプロン支持具は、エプロン下端を上方へ押圧し得る弾性を有する山部と、エプロン下端の洗い場側に当接し得る立上ヒレ部を備えていることにより、エプロン支持具の山部によりエプロンを上方へ押し上げて良好に支持することができ、エプロン支持具を取り外すことで、エプロンの着脱が容易なものとなる。また、エプロンの下端は垂下状をなし、洗い場側に立上ヒレ部が当接されるため、エプロン下端裏面に水滴や汚れが溜まりにくくなる。
【０００６】
また、エプロン支持具の底側には、防水パンとの間に水抜き孔を形成し得る複数の羽根部が備えられていることにより、水抜き孔を通して、エプロンの裏側からの水を洗い場側へ良好に排水することができ、エプロンの裏側、即ち浴槽側に水が溜まることを良好に防ぐことができるものとなる。
【実施例】
【０００７】
以下、本発明の実施例を図面に基づいて説明する。
図１は、浴室内に設置された浴槽にエプロンが取り付けられた状態の斜視構成図である。
浴室の底面を形成する防水パン１は、図３に斜視図で示すような構造となっており、また、エプロンは、図２の正面構成図で示すような構造となっている。
【０００８】
図３において、防水パン１は、洗い場２と浴槽設置面３を仕切る堤防４が形成されており、堤防４の前面４ｃは、洗い場２側に向いて立ち上げられている。
この堤防４の左右両端側は、浴槽設置面３側へ湾曲した湾曲部４ａ，４ａとなっている。また、堤防４の中央部には切欠部４ｂが形成されており、この部分の洗い場２側に排水口５が形成されている。
【０００９】
また、エプロン７は、図２に示すように、その下端縁７ａの中央部に、断面Ｌ字状の中央Ｌ部７ｃが形成されている。
図２の中央Ｌ部７ｃの部分（Ａ−Ａ線断面）の設置状態を図４に示し説明する。
防水パン１の浴槽設置面３上に設置された浴槽６の上端のフランジ部６ａの内側に、エプロン７の上端を差し込んで、エプロン７の下端の中央Ｌ部７ｃを、仕切板１１を介在させて堤防４上に支持させることができ、排水口５上には目皿９が被せられる。
【００１０】
また、図２のＢ−Ｂ線断面で示す部分では、図５に示すように、エプロン７の下端縁７ａは下方へ真っ直ぐ延びる垂下状に形成されており、この下端縁７ａの裏面が堤防４の前面４ｃに当接状となってエプロン７が設置されるものである。
なお、エプロン７の下端縁７ａの左右側には、図１に示すように、エプロン支持具１０，１０が洗い場２側から差し込まれて、このエプロン支持具１０，１０によりエプロン７の下端が持ち上げられて支持されるものである。
【００１１】
図１の状態からエプロン７を浴槽６から取り外すには、目皿９と左右両側のエプロン支持具１０，１０を外し、さらに図６に示すように、エプロン７を手で押さえながら仕切板１１を洗い場側へ外して、この状態でエプロン７を押し下げながら浴槽のフランジ部６ａから上端を外して、カウンター８側のエプロン７の端部を湾曲部４ａで回転させながら、エプロン７を取り外すことができるものである。
【００１２】
本例で使用されているエプロン支持具１０は、図９に上向きの状態で、また図１０には横倒しにした状態で示すような構造となっている。
即ち、図９，図１０において、エプロン支持具１０は、ベース部１０ａの上面左右端側にドーム状に弾性山部１０ｂ，１０ｂが一体形成されており、この弾性山部１０ｂは、ベース部１０ａから浮き上がった山状に樹脂で形成されているため、上下方向に弾性が付与されたものとなっている。
【００１３】
また、ベース部１０ａの洗い場２側には、一体状に立ち上げて立上ヒレ部１０ｃが形成されており、また、ベース部１０ａの底側には、傾斜した羽根部１０ｄ，１０ｄが間隔をおいて垂下状に一体形成されており、各羽根部１０ｄ，１０ｄ間で傾斜状の水抜き孔Ｒ，Ｒ，Ｒが形成されている。また、エプロン支持具１０の先端側には、堤防４に当接状に連結される連結片１０ｅが形成されている。
【００１４】
図７は、防水パンの湾曲部４ａの洗い場２側にエプロン支持具１０を取り付けた状態の平面拡大構成図であり、また図８は、図７のエプロン支持具１０を洗い場２側から見た正面拡大構成図である。
即ち、エプロン支持具１０を洗い場２側から差し込んで、エプロン７の下端を持ち上げた状態は、図１１の断面図で示すような状態となる。
【００１５】
図１１において、エプロン７の垂下状の下端縁７ａは、エプロン支持具１０の弾性山部１０ｂの弾性により上方へ持ち上げられて支持されており、この状態で、立上ヒレ部１０ｃがエプロン７の下端縁７ａの洗い場２側に当接し、この立上ヒレ部１０ｃの当接により止水性が確保されるものである。また、防水パン１と複数の羽根部１０ｄ，１０ｄ間で複数の水抜き孔Ｒが形成されることとなる。
【００１６】
従って、エプロン支持具１０をエプロン７の下端左右側に差し込むことにより、エプロン７が持ち上げられて良好に支持され、かつ、エプロン７の下端は洗い場２側で立上ヒレ部１０ｃと当接されて止水性が確保されることとなり、しかも、エプロン７の下端縁７ａは下方へ真っ直ぐ延びる垂下状に形成されており、左右側以外では、下端縁７ａの裏面が堤防４の前面４ｃに当接状となっているため止水性が確保され、エプロン７の下端の裏側、即ち浴槽６側には洗い場２側から水滴等が侵入できず、エプロン７の下端裏側に水滴，汚れカスが溜まらないためにカビ等の発生が減少されるものとなる。
【００１７】
なお、例えば浴槽６の外周から溢れ出した水等は、図示しない樋を介して、湾曲部４ａの洗い場２側に導かれて、複数の水抜き孔Ｒから洗い場２側に良好に排水されるため、エプロン７の裏側には水が溜まらず、カビ，汚れが生じないものとなる。
なお、複数の羽根部１０ｄ，１０ｄを傾斜状に設けてあるのは、洗い場２側から勢いよく水が浴槽６側に流れ出た時に、羽根部１０ｄ，１０ｄで水の勢いを止め、裏側への侵入を阻止するためである。
なお、このようなエプロン支持具１０を用いたことにより、エプロン支持具１０，１０を取り外すことで、容易にエプロン７を着脱することができるものとなる。
【００１８】
なお、エプロン７の上端側は、図１２に拡大して示すように、浴槽６が、厚み４mm程度のプレス成形品である場合には、上端水平片７ｄから立上片７ｅに亘り、図１３に示すようにリブ７ｇ，７ｇを形成させ、リブ７ｇ，７ｇから水平状に係止片７ｆを一体形成させて、係止片７ｆを、浴槽６のフランジ部６ａの下面に形成されている補強リブ６ｂに当接状にして係止させることができるものである。
なお、リブ７ｇを形成させたのは、厚みの薄い浴槽にエプロン７を取り付けた時に、エプロン７が洗い場２側へ出っ張らないようにするためである。
【００１９】
なお、厚み７mmの浴槽６においては、例えば図１４に示すように、フランジ部６ａの裏側下面に固定金具１２を固定させておき、これに係止金具１３をビス１４で固定して、この係止金具１３に、エプロン７上端の係止片７ｆを当接させるような構造が採用されるものである。
【図面の簡単な説明】
【００２０】
【図１】浴室内に設置された浴槽にエプロンを取り付けた状態の斜視構成図である。
【図２】エプロンの洗い場側から見た正面構成図である。
【図３】防水パンの斜視構成図である。
【図４】エプロンの取付状態の中央部における縦断面構成図である。
【図５】エプロンの取付状態の中央部からズレた位置の縦断面構成図である。
【図６】堤防の切欠部から仕切板を取り外す状態の要部拡大斜視図である。
【図７】エプロンの両端側に洗い場側から差し込まれたエプロン支持具の部分の要部拡大平面構成図である。
【図８】図７を洗い場側から見た拡大正面構成図である。
【図９】エプロン支持具の上方側から見た斜視構成図である。
【図１０】エプロン支持具を横倒しにした状態の斜視構成図である。
【図１１】エプロン支持具でエプロンの下端を押し上げ支持している状態の縦断面構成図である。
【図１２】エプロンの上端が浴槽のフランジに係合されている状態の縦断面構成図である。
【図１３】図１２のエプロンの上端側の拡大斜視構成図である。
【図１４】浴槽のフランジ部の下面に金具を用いた場合のエプロンの上端の取付状態の縦断面構成図である。
【符号の説明】
【００２１】
１  防水パン
２  洗い場
３  浴槽設置面
４  堤防
４ａ  湾曲部
４ｂ  切欠部
４ｃ  前面
５  排水口
６  浴槽
６ａ  フランジ部
７  エプロン
７ａ  下端縁
７ｃ  中央Ｌ部
７ｄ  上端水平片
７ｅ  立上片
７ｆ  係止片
７ｇ  リブ
８  カウンター
９  目皿
１０  エプロン支持具
１０ａ  ベース部
１０ｂ  弾性山部
１０ｃ  立上ヒレ部
１０ｄ  羽根部
１１  仕切板
Ｒ  水抜き孔
【図１】
2006006844.tif 000003
【図２】
2006006844.tif 000004
【図３】
2006006844.tif 000005
【図４】
2006006844.tif 000006
【図５】
2006006844.tif 000007
【図６】
2006006844.tif 000008
【図７】
2006006844.tif 000009
【図８】
2006006844.tif 000010
【図９】
2006006844.tif 000011
【図１０】
2006006844.tif 000012
【図１１】
2006006844.tif 000013
【図１２】
2006006844.tif 000014
【図１３】
2006006844.tif 000015
【図１４】
2006006844.tif 000016